(57)【特許請求の範囲】
【請求項１】
引戸装置の点検カバーの取付構造において、
点検カバーは上枠に沿って開口幅方向に延出すると共に、当該点検カバーは、上部が上枠に掛止され、下部が上枠に螺子を用いて固着されることで、上枠に着脱自在に装着されており、上枠の室外側見付面を構成する面部と、当該面部の室内側に設けた第１係合片と、を備えており、
扉体の上端には、室外側に位置して第２係合片が設けてあり、当該第２係合片は、扉体の室外側面部からさらに室外側に向かって水平状に延出する頂片と、頂片の前端から下方に向かって延出する垂下片と、を備えると共に当該扉体の全幅に沿って延出しており、
前記第１係合片と前記第２係合片とは、開口部全閉時では、前記第２係合片が前記第１係合片よりも室外側に位置して両片が対向状にオーバーラップした状態にあり、開口部全閉時から扉体を開放方向に所定量移動させることで前記オーバーラップ状態が解除されるように構成されており、
前記点検カバーの長さ方向両端部位の少なくとも戸先側部位には、室内側に向かって水平状に延出する装着片が設けてあり、当該装着片は、前記第１係合片を越えて扉体の室外側面部の移動面よりも室内側に延出しており、
上枠内には、扉体の室外側面部の移動面よりも室内側に位置して被装着片が設けてあり、
前記装着片を上枠内に形成された前記被装着片に下方から重ね合わせて、重ね合わせた装着片と被装着片とを、扉体の室外側面部の移動面よりも室内側で下方から螺子を用いて固着してなり、
開口部全閉時には、前記第２係合片が前記第１係合片の室外側への取り外しを規制していると共に、前記装着片を前記被装着片に固着する前記螺子が扉体に隠蔽されている、
引戸装置の点検カバーの取付構造。
【請求項２】
前記点検カバーは、前記扉体の移動範囲全体に亘って延出しており、
前記第１係合片の戸先側部位は、開口部全閉時に前記第２係合片とオーバーラップ状態を形成するオーバーラップ部から形成されており、
前記第１係合片には、前記オーバーラップ部の戸尻側に隣接して前記第２係合片の長さ方向の寸法よりも長く延出する非オーバーラップ部が形成されている、
請求項１に記載の引戸装置の点検カバーの取付構造。
【請求項３】
前記点検カバーは、開口部全閉時の扉体の全幅に亘って延出しており、
前記第１係合片は、開口部全閉時に前記第２係合片とオーバーラップ状態を形成するオーバーラップ部を備えており、
前記第１係合片の戸尻側端部あるいは／および前記第２係合片の戸先側端部には、少なくとも開口部全開時における扉体の引き残し部位に対応してオーバーラップ状態が形成されないように切り欠き部が形成されている、
請求項１に記載の引戸装置の点検カバーの取付構造。
【発明の詳細な説明】
【技術分野】
【０００１】
本発明は、引戸装置における点検カバーの取付構造に係り、好ましい態様例では、玄関引戸の点検カバーの取付構造に関するものである。
【背景技術】
【０００２】
病院等の居室の出入り口に設置する引戸装置においては、取付やメンテナンスのために、開口部上方の上枠の前面に対して着脱自在の点検カバーを設けている。
【０００３】
従来、点検カバーの取付方法としては、「点検カバーの上部を上枠に引っ掛け、点検カバーの下部を螺子で固定する」方法が知られている。本明細書の図９には、前記取付構造が示してある。図９において、点検カバー６´の上部は上枠１´に掛止されており、点検カバー６´の下部は螺子１５´を用いて上枠１´に固定されている。特許文献１の図２にも前記取付構造が示してある。
【０００４】
しかしながら、引戸装置を玄関に設置するような場合には、前記取付方法だと、室外側から点検カバーの下部を固定している螺子を取り外して点検カバーを取り外すことで、引戸装置の移動機構へのアクセスが可能となり、防犯上望ましくない。また、点検カバーの下部を固定する螺子が室外側に露出するので、螺子の取り外しが容易であると共に、美観上も望ましくない。
【特許文献１】特開２０００−１９９３６６
【発明の開示】
【発明が解決しようとする課題】
【０００５】
本発明の目的は、引戸装置の点検カバーの取付構造において、開口部全閉時における点検カバーの取り外しを困難にすることで防犯性能を向上させることにある。
【課題を解決するための手段】
【０００６】
本発明が採用した技術手段は、引戸装置の点検カバーの取付構造において、点検カバーは上枠に沿って開口幅方向に延出すると共に、上枠に着脱自在に装着されており、上枠の室外側見付面を構成する面部と、当該面部の室内側に設けた第１係合片と、を備えており、扉体の上端には、室外側に位置して第２係合片が設けてあり、前記第１係合片と前記第２係合片とは、開口部全閉時では、前記第２係合片が前記第１係合片よりも室外側に位置して両片が対向状にオーバーラップした状態にあり、開口部全閉時から扉体を開放方向に所定量移動させることで前記オーバーラップ状態が解除されるように構成されている。一つの態様では、少なくとも開口部全開時（扉体が開口部全開位置まで移動した状態）では、前記オーバーラップ状態が解除される。本明細書において、オーバーラップ状態とは、室外側から見た時に第１係合片と第２係合片とが少なくとも部分的に重なっている状態を言う。すなわち、第１係合片と第２係合片は上下方向（点検カバーの高さ方向）及び左右方向（点検カバーの長さ方向）で実際に対向する部分を備えている。一つの態様では、前記第１係合片は、面部の下端から後方へ向かって延出する底片と、底片から上方に向かって延出する立ち上がり片と、からなり、前記第２係合片は、室外側に向かって延出する頂片と、頂片から下方に向かって延出する垂下片と、からなり、前記立ち上がり片と前記垂下片とは、開口部全閉時では、前記垂下片が前記立ち上がり片よりも室外側に位置して両片が対向状にオーバーラップした状態にある。あるいは、他の態様では、前記第１係合片を垂下片、前記第２係合片を立ち上がり片から形成してもよい。
【０００７】
一つの態様では、前記点検カバーは、前記扉体の移動範囲全体に亘って延出しており、前記第１係合片（例えば、立ち上がり片）の戸先側部位は、開口部全閉時に前記第２係合片（例えば、垂下片）とオーバーラップ状態を形成するオーバーラップ部から形成されており、前記第１係合片には、前記オーバーラップ部の戸尻側に隣接して前記第２係合片の長さ方向の寸法よりも長く延出する非オーバーラップ部が形成されている。一つの態様では、前記第１係合片（例えば、立ち上がり片）も点検カバーと同様に前記扉体の移動範囲全体に亘って延出するが、第１係合片は必ずしも前記扉体の移動範囲全体に亘ってまで延出していなくてもよい。また、第１係合片（特に、オーバーラップ部）を複数の突片から形成してもよい。
【０００８】
一つの態様では、第１係合片としての立ち上がり片は高さＨ１のオーバーラップ部と、オーバーラップ部の戸尻側に位置する高さＨ２の非オーバーラップ部（Ｈ１>Ｈ２）から段部状に形成されている。一つの態様では、第１係合片としての立ち上がり片は、戸先側から戸尻側へ向かって漸次高さが減少するように上端が傾斜状に延出する片であり、戸先側の所定部位がオーバーラップ部、オーバーラップ部の戸尻側の部位が非オーバーラップ部である。
【０００９】
一つの態様では、前記点検カバーは、開口部全閉時の扉体の全幅に亘って延出しており、第１係合片（例えば、前記立ち上がり片）は、開口部全閉時に前記第２係合片（例えば、垂下片）とオーバーラップ状態を形成するオーバーラップ部を備えており、前記第１係合片の戸尻側端部あるいは／および前記第２係合片の戸先側端部には、少なくとも開口部全開時における扉体の引き残し部位に対応してオーバーラップ状態が形成されないように切り欠き部が形成されている。前記「少なくとも」が意味するところは、開口部全開時に至る前の段階でオーバーラップ状態が形成されないような切り欠き部も含む意味である。ここで切り欠き部とは、オーバーラップ部に比べて小さい垂直方向の寸法を備えた片、垂直方向に延出する片が無い状態、を含むものであり、また、切り欠き部の形成手段は、所定の垂直方向の寸法を備えた片を切り欠くことに限定されるものではなく、例えば、最初からオーバーラップ部に比べて小さい垂直方向の寸法を備えた片、あるいは、垂直方向に延出する片が無い状態を、オーバーラップ部と同時に形成する場合も含む。一つの態様では、前記第１係合片（例えば、立ち上がり片）は、点検カバーと同様に、開口部全閉時の扉体の全幅に亘って延出するが、第１係合片は、必ずしも開口部全閉時の扉体の全幅に亘ってまで延出していなくてもよい。また、第１係合片（特に、オーバーラップ部）を複数の突片から形成してもよい。
【００１０】
一つの態様では、第２係合片としての垂下片は、扉体の上端に形成されたいわゆる「上煙返し」から形成されている。この場合、一般に、垂下片の垂直方向の寸法は当該垂下片の長さ方向（扉体の幅方向）に亘って一定である。垂下片を、上煙返しとは別の部材から構成してもよく、垂下片の垂直方向の寸法を長さ方向に異ならしめてもよい。例えば、垂下片の垂直寸法が漸次減少するように下端を傾斜状に延出させてもよい。また、垂下片を、一つの片に代えて、複数の突片から形成してもよい。
【００１１】
また、「前記第１係合片と前記第２係合片とは、開口部全閉時では、前記第２係合片が前記第１係合片よりも室外側に位置して両片が対向状にオーバーラップした状態にあり、開口部全閉時から扉体を開放方向に所定量移動させることで前記オーバーラップ状態が解除されるように構成されている」ことを傾斜する吊持レールを用いて実現してもよい。より具体的には、扉体を吊持する吊持レールは、戸先側から戸尻側に向かって上向き傾斜状に延出している傾斜レールであり、扉体が開放方向に移動することで、扉体が徐々に上動していき、それにつれて扉体に設けた第２係合片も上動していくことで、所定量以上上昇するとオーバーラップが解除される。尚、傾斜レールを用いる場合であっても、第１係合片あるいは/および第２係合片の垂直方向の寸法を長さ方向に変化させることが望ましい。
【００１２】
一つの態様では、前記点検カバーは、上部が上枠に掛止され、下部が上枠に螺子を用いて固着されることで、上枠に対して着脱自在となっている。上部のより具体的な態様例では、前記面部の上端には、上枠に形成された被掛止片に掛止される掛止片が形成されている。下部のより具体的な態様例では、前記点検カバーの長さ方向両端部位の少なくとも戸先側部位には、室内側に向かって水平状に延出する装着片が設けてあり、装着片の先端は、扉体の室外側面部の移動面よりも室内側に延出しており、上枠内には、扉体の室外側面部の移動面よりも室内側に位置して被装着片が設けてあり、前記装着片を上枠内に形成された前記被装着片に重ね合わせて、扉体の室外側面部の移動面よりも室内側で下方から螺子を用いて固定する。
【発明の効果】
【００１３】
本発明の点検カバーの取付構造では、開口部全閉時において、前記第２係合片が前記第１係合片よりも室外側に位置して、第１係合片と第２係合片とが対向状のオーバーラップ状態にあるので、開口部全閉時において扉体に施錠がされていれば、点検カバーを上枠から取り外そうとしても、第１係合片が第２係合片に引っ掛かって係合し、点検カバーを外すことが困難である。点検カバーの着脱は、開口部全閉時から扉体を開放方向に所定量移動させることで前記オーバーラップ状態を解除させて行えばよいので、本発明に係る取付構造が点検作業に支障を来たすことはない。
【００１４】
また、前記点検カバーの長さ方向両端部位の少なくとも戸先側部位には、室内側に向かって水平状に延出する装着片が設けてあり、装着片の先端は、扉体の室外側面部の移動面よりも室内側に延出しており、上枠内には、扉体の室外側面部の移動面よりも室内側に位置して被装着片が設けてあり、前記装着片を上枠内に形成された前記被装着片に重ね合わせて、扉体の室外側面部の移動面よりも室内側で下方から螺子を用いて固定するものでは、室外側に面する点検カバーの面部に螺子の頭部が露出しないので意匠上良好であることに加えて、開口部全閉時には、戸先側の螺子が扉体に隠蔽されており、室外側から戸先側の螺子を取り外すことができないため防犯上有利である。
【発明を実施するための最良の形態】
【００１５】
図１は扉閉鎖時および開放時における引戸装置の室外側の姿図（左側が開口部全閉時、右側が開口部全開時）、図２は引戸装置の一部省略縦断面図である。引戸装置が設けられる枠体は、上枠１と、左右の縦枠２，３と、下枠４と、から形成されている。引戸装置は片引き引戸であり、縦枠２が戸先側縦枠、縦枠３が戸尻側縦枠となっている。枠体の戸尻側半部には嵌め殺しの袖パネル５が設けてあり、枠体の戸先側半部（戸先側縦枠２と袖パネル５間）に形成された開口部を左右方向に移動自在の扉体６が開閉するようになっている。開口部全開時には、扉体６は引き残し部を除いて袖パネル５に対向して重なるようになっている。上枠１内には、扉体６の移動方向（扉体６の幅方向）に延出する吊持レール７が設けてあり、扉体６の上端に設けた吊持ローラ８が吊持レール７に案内されて移動することで、扉体６が開口幅方向に移動して開口部を開閉する。下枠４には、扉体６下端面に形成した凹部内に位置して扉体６の振れを規制する振れ止めローラ４aが設けてある。
【００１６】
図２において、左側が室外側、右側が室内側である。上枠１の室外側に面する前面は開口状となっており、上枠１の室外側見付面は上枠１に対して着脱自在に装着された点検カバー９から構成されている。上枠１、点検カバー９は共に開口幅方向に延出する長手部材である。図１乃至図４に示す態様例では、上枠１、点検カバー９は共に左右の縦枠２，３間の寸法（扉体６の移動範囲全体）と略同じ長さを有している。
【００１７】
図３に示すように、点検カバー９は、垂直状に延出する面部９０と、面部９０の上端で裏面側（室内側）へ折り返し折曲して形成された掛止片９１と、面部９０の下端から後方（室内側）向かって水平状に延出する底片９２と、底片９２の後端から上方に向かって垂直状に延出する立ち上がり片９３と、を備えている。面部９０、掛止片９１、底片９２、立ち上がり片９３は、点検カバー９の長さ方向全体に亘って延出している。
【００１８】
点検カバー９の長さ方向両端部には、点検カバー９を螺子止するための装着片９４が設けてある。装着片９４は、底片９２の中途部位から垂直状に立ち上がる第１片９４ａと、第１片９４ａから後方に向かって底片９２を越えて水平状に延出する第２片９４ｂと、からなる。第２片９４ｂは、扉体６の室外側面部６０の移動面（開口幅方向に左右に移動する扉体６の室外側面部６０によって形成される面）を越えて室内側に延出しており、扉体６の上端面の上方にまで延出している。
【００１９】
上枠１の上片１０の前端には、点検カバー９の掛止片９１が掛止される被掛止部１１が形成されている。上枠１内には、上枠１の長さ方向両端部位に位置して、点検カバー９の装着片９４の第２辺９４ｂに対応するように、水平状の被装着片１２が形成されている。被装着片１２は、扉体６の室外側面部６０の移動面よりも後方側（室内側）に位置している。上枠１内には、吊持レール７を支持する下片１３と、吊持レール７を固定する垂直片１４が設けてあり、図示の例では、被装着片１２は、下片１３の延出部に一体形成されている。点検カバー９は、掛止片９１を上枠１に形成された被掛止部１１に掛止させると共に、装着片９４の第２辺９４ｂを上枠１の被装着片１２に重ね合わせて下方から螺子１５を用いて固定される。したがって、螺子１５は、扉体６の室外側面部６０の移動面よりも後方側（室内側）に設けられることなり、開口部全閉時では、戸先側の第２片９４ｂと被装着片１２を固定する螺子１５は扉体６によって隠蔽されており、当該戸先側の螺子１５を室外側から取り外すことができない。
【００２０】
扉体６の上端面には、扉体６の全幅に沿って延出するいわゆる「上煙返し」が設けてある。上煙返しは、扉体６の室外側面部からさらに室外側に向かって水平状に延出する頂片１６と、頂片１６の前端から下方に向かって延出する垂下片１７と、を備えている。垂下片１７の垂直方向の寸法は、長さ方向（扉体の幅方向）に亘って一定である。
【００２１】
図３に示す態様例では、立ち上がり片９３は、扉体６の移動範囲全体に亘って延出しており、立ち上がり片９３の戸先側の所定長の部位は高さＨ１を備えたオーバーラップ部９３Ａとなっており、オーバーラップ片９３Ａの戸尻側に隣接する部位は高さＨ１よりも低い高さＨ２を備えた非オーバーラップ部９３Ｂとなっている。非オーバーラップ部９３Ｂは、垂下片１７の長さ方向の寸法（図示の例では、扉体６の幅寸法と同等）よりも長い寸法を備えている。こうすることで、開口部全閉時では、扉体６の上端に設けた垂下片１７が、立ち上がり片９３の高さＨ１のオーバーラップ部９３Ａよりも室外側に位置して、垂下片１７とオーバーラップ部９３Ａとが対向状にオーバーラップした状態にあり、開口部全閉時から扉体６を開放方向に所定量移動させることで垂下片１７が立ち上がり片９３の高さＨ２の非オーバーラップ部９３Ｂまで移動すると（少なくとも、開口部全開時では、垂下片１７が立ち上がり片９３の高さＨ２の非オーバーラップ部９３Ｂまで移動している）、オーバーラップ状態が解除される。
【００２２】
上枠１に対して点検カバー９を取り付ける時には、扉体６を開口部全開位置まで移動させた状態で、点検カバー９の掛止片９１を上枠１の被掛止片１１に掛止させると共に、装着片９４の第２辺９４ｂを上枠１の被装着片１２に重ね合わせて下方から先ず戸先側の螺子１５を止着する。扉体６の開口部全開位置は、図示しないストッパによって保持することができる。開口部全開時では、点検カバー９の立ち上がり片９３の高さＨ２の非オーバーラップ部９３Ｂが扉体６の垂下片１７に対応しているので、立ち上がり片９３と垂下片１７とが引っ掛かって点検カバー９の枠体１への装着に支障を来たすことがない。次いで、扉体６を開口部閉鎖方向に移動させて、戸尻側の螺子１５を止着する。
【００２３】
扉体６を開口部閉鎖方向へ移動させて開口部全閉状態とすると、点検カバー９の立ち上がり片９３の高さH１のオーバーラップ部９３Ａが扉体６の垂下片１７に対向してオーバーラップ状態となる。したがって、開口部全閉状態において、施錠装置によって扉体６の開放が規制されていれば、仮に、下部の螺子１５が外れた場合であっても、点検カバー９を手前に外そうとすれば、点検カバー９の立ち上がり片９３のオーバーラップ部９３Ａが扉体６の垂下片１７に引っ掛かる構造となっており、外部から点検カバー９を取り外すことは困難である。しかも、開口部全閉時には、点検カバー９の戸先側の第２片９４ｂを上枠１の戸先側の非装着片１２に固定する螺子１５は扉体６によって隠蔽されており、室外側からは戸尻側の螺子１５のみしか取り外すことはできない。
【００２４】
点検カバー９を取り外す場合には、扉体６を移動させて螺子１５を取り外し、扉体６を全開位置にして点検カバー９を手前に引いて、上部の掛止部分を外すことで、点検カバー９を上枠１から取り外すことができる。
【００２５】
図５、図６は点検カバーの取付構造の他の実施形態に係るものである。基本的な構成は第１実施形態と同様であり、同一の部材には同一の参照番号が付してあり、同一の参照番号が付された部材については、既述の説明を援用することができる。図５は引戸装置の室外側の姿図であり、引戸装置が設けられる開口部は、上枠１と、戸先側縦枠２と、下枠４と、戸尻側に形成された戸袋５０から形成されている。
【００２６】
図５、図６に示す態様例では、上枠１は扉体６の移動経路の全体幅に亘って延出しており、点検カバー９は扉体６の幅寸法と略同じ長さを有し、開口部全閉時の扉体６の全幅に亘って延出している。
【００２７】
図６に示す点検カバー９は、図３の点検カバーと類似する構成を備えており、垂直状に延出する面部９０と、面部９０の上端で裏面側（室内側）へ折り返し折曲して形成された掛止片９１と、面部９０の下端から後方（室内側）向かって水平状に延出する底片９２と、底片９２の後端から上方に向かって垂直状に延出する立ち上がり片９３と、を備えている。面部９０、掛止片９１、底片９２、立ち上がり片９３は、点検カバー９の長さ方向全体に亘って延出している。
【００２８】
点検カバー９の長さ方向両端部には、点検カバー９を螺子止するための装着片９４が設けてある。装着片９４は、底片９２の中途部位から垂直状に立ち上がる第１片９４ａと、第１片９４ａから後方に向かって底片９２を越えて水平状に延出する第２片９４ｂと、からなる。第２片９４ｂは、扉体６の室外側面部６０の移動面を越えて室内側へ延出しており、扉体６の上端面の移動面の上方にまで延出している。
【００２９】
図６に示す態様例では、立ち上がり片９３の戸尻側端部を除く略全幅の部分が高さＨ１を備えたオーバーラップ部９３Ａとなっており、戸尻側端部のみを切り欠くことで高さが高さＨ２の非オーバーラップ部９３Ｂとなっている。こうすることで、開口部全閉状態では、扉体６の上端の垂下片１７が、立ち上がり片９３の高さＨ１のオーバーラップ部９３Ａよりも室外側に位置して、垂下片１７と立ち上がり片９３とが対向状にオーバーラップした状態にあり、扉体６を開放方向に所定量移動させることで垂下片１７が立ち上がり片９３の高さＨ１のオーバーラップ部９３Ａから離れて戸袋５０内に移動して行き、開口部全開状態において、扉体６の戸先側の引き残し部位が立ち上がり片９３の高さＨ２の非オーバーラップ部９３Ｂに位置して、オーバーラップ状態が解除される。尚、立ち上がり片９３の戸尻側端部を切り欠く代わりに、垂下片１７の戸先側端部を切り欠いてもよい。
【００３０】
図３、図６に示す立ち上がり片９３は、戸先側のオーバーラップ部９３Ａとオーバーラップ部９３Ａの戸尻側に隣接して形成された非オーバーラップ部９３Ｂとから段部状に形成されているが、図７に示すように、立ち上がり片９３は、戸先側から戸尻側へ向かって漸次高さが減少するような傾斜片でもよく、扉体６の垂下片１７とオーバーラップしない高さの部位を境界として戸先側をオーバーラップ部９３Ａ、戸尻側を非オーバーラップ部９３Ｂとしてもよい。尚、図７において、図３、図６と同一の部材には同一の参照番号が付してあり、同一の参照番号が付された部材については、図３、図６における既述の関連する説明を援用することができる。また、図３、図６、図７に示すオーバーラップ部９３Ａを、一つの片に代えて、複数の突片から形成してもよい。
【００３１】
図８に示すように、図２に示す吊持レール７は、戸先側から戸尻側に向かって上向き傾斜状に延出する傾斜レール７´でもよい。この場合、扉体６は開放方向に移動するにしたがって徐々に上昇していくため、扉体６に設けた垂下片１７も上昇して行き、立ち上がり片９３のオーバーラップ部９３Ａの高さが一定であっても、立ち上がり片９３と垂下片１７とのオーバーラップ寸法は徐々に減少して行き、垂下片１７が所定量以上上昇すればオーバーラップ状態は解除され得る。しかしながら、傾斜レール７´の傾斜角度を大きく取ることは操作上・納まり上において現実的ではなく、傾斜レール７´を採用する場合であっても、例えば、図７に示すような傾斜状の立ち上がり片９３と組み合わせて用いることが望ましい。
【００３２】
図示の実施形態では、垂下片１７を「上煙返し」で兼用したので、垂下片１７の垂直方向の寸法は長さ方向に一定となっている。しかしながら、上煙返しとは別の部材から垂下片１７を構成する場合には、垂下片１７の垂直方向を長さ方向に異ならしめてもよい。例えば、垂下片１７の垂直寸法が漸次減少するように下端を傾斜状に延出させてもよい。また、垂下片１７を、一つの片に代えて、複数の突片から形成してもよい。
【産業上の利用可能性】
【００３３】
本発明は、玄関引戸の点検カバーの取付構造として利用することができる。
【図面の簡単な説明】
【００３４】
【図１】扉閉鎖時および開放時における引戸装置の姿図である。
【図２】引戸装置の一部省略縦断面図である。
【図２Ａ】図２における要部拡大図である。
【図３】点検カバーの側面図および裏面図である。
【図４】上枠に対する点検カバーの取り付けを説明する斜視図である。図において、扉体は全開位置にある。
【図５】他の実施形態に係る引戸装置の姿図である。
【図６】他の実施形態に係る点検カバーの裏面図である。
【図７】他の実施形態に係る点検カバーの裏面図である。
【図８】傾斜する吊持レールを備えた引戸装置を示す図である。
【図９】従来の点検カバーの取付構造を示す図である。
【符号の説明】
【００３５】
１  上枠
６  扉体
９  点検カバー
１５  螺子
９０  面部
９１  掛止片
９２  底片
９３  立ち上がり片
９３Ａ  オーバーラップ部分
９３Ｂ  非オーバーラップ部分
９４  装着片
【図１】
0005189328.tif 000002
【図２】
0005189328.tif 000003
【図２Ａ】
0005189328.tif 000004
【図３】
0005189328.tif 000005
【図４】
0005189328.tif 000006
【図５】
0005189328.tif 000007
【図６】
0005189328.tif 000008
【図７】
0005189328.tif 000009
【図８】
0005189328.tif 000010
【図９】
0005189328.tif 000011